(57)【要約】【課題】扉を閉じたままで主幹ブレーカのオンオフ操作が可能であり、しかも主幹ブレーカをオフとしなくても、安全に分岐ブレーカを操作したり検査したりすることができる分電盤を提供する。【解決手段】主幹ブレーカ１０と、分岐ブレーカと、これらのブレーカの充電部を覆う保護板７と、保護板７の外側を覆う扉と、扉の外側から主幹ブレーカ１０を操作可能な外部操作ハンドル４とを備えた分電盤である。外部操作ハンドル４はハンドル操作により移動するロック片１３を備え、このロック片１３を保護板７に形成した係止片１４に係止させることにより、主幹ブレーカ１０がオンの状態では保護板７を開けないようにインターロックを掛けている。【選択図】図４
2017127125.tif 000002
【特許請求の範囲】
【請求項１】
主幹ブレーカと、分岐ブレーカと、これらのブレーカの充電部を覆う保護板と、この保護板の外側を覆う扉と、この扉の外側から主幹ブレーカを操作可能な外部操作ハンドルとを備えた分電盤において、
この外部操作ハンドルはハンドル操作により移動するロック片を備え、このロック片を保護板に形成した係止片に係止させることにより、主幹ブレーカがオンの状態では保護板を開けないようにインターロックすることを特徴とする分電盤。
【請求項２】
前記ロック片は、扉と保護板との間の空間内において係止片に係止することを特徴とする請求項１に記載の分電盤。
【請求項３】
前記係止片は、保護板を閉じるときにロック片に当接して保護板の閉塞状態まで案内する傾斜部を備えるとともに、保護板を閉じる時にロック片を傾斜部に当接する位置に規制する位置規制片を主幹ブレーカに取付けたことを特徴とする請求項１に記載の分電盤。
【発明の詳細な説明】
【技術分野】
【０００１】
本発明は、扉の外側から主幹ブレーカを操作可能な外部操作ハンドルを備えた分電盤に関するものである。
【背景技術】
【０００２】
一般的な分電盤は筺体の内部に主幹ブレーカ、分岐ブレーカを収納し、これらのブレーカの操作は扉を開いて行なう構造となっている。しかし特許文献１に示されるように、扉に外部操作ハンドルを備え、扉を閉じたままで主幹ブレーカのオンオフ操作ができるようにした分電盤も用いられている。
【０００３】
このような外部操作ハンドルを備えた従来の分電盤はインターロック機能を備えており、主幹ブレーカをオフとしなければ扉を開くことができない構造となっている。このため、例えば一つの分岐ブレーカが過電流によりトリップした場合、その分岐ブレーカを操作したり検査したりするためには、主幹ブレーカをオフとしたうえで扉を開かねばならない。このため、オフとしたくない負荷に接続されている分岐ブレーカがあっても、全ての分岐ブレーカへの給電が停止されてしまうという問題があった。
【先行技術文献】
【特許文献】
【０００４】
【特許文献１】実公平６−２４１１７号公報
【発明の開示】
【発明が解決しようとする課題】
【０００５】
従って本発明の目的は上記した従来の問題点を解決し、扉を閉じたままで主幹ブレーカのオンオフ操作が可能であり、しかも主幹ブレーカをオフとしなくても、安全に分岐ブレーカを操作したり検査したりすることができる分電盤を提供することである。
【課題を解決するための手段】
【０００６】
上記の課題を解決するためになされた本発明は、主幹ブレーカと、分岐ブレーカと、これらのブレーカの充電部を覆う保護板と、この保護板の外側を覆う扉と、この扉の外側から主幹ブレーカを操作可能な外部操作ハンドルとを備えた分電盤において、この外部操作ハンドルはハンドル操作により移動するロック片を備え、このロック片を保護板に形成した係止片に係止させることにより、主幹ブレーカがオンの状態では保護板を開けないようにインターロックすることを特徴とするものである。
【０００７】
なお請求項２のように、前記ロック片は、扉と保護板との間の空間内において係止片に係止する構造とすることが好ましい。
【０００８】
また請求項３のように、前記係止片は、保護板を閉じるときにロック片に当接して保護板の閉塞状態まで案内する傾斜部を備えるとともに、保護板を閉じる時にロック片を傾斜部に当接する位置に規制する位置規制片を主幹ブレーカに取付けた構造とすることが好ましい。
【発明の効果】
【０００９】
本発明の分電盤は、主幹ブレーカがオンの状態では保護板は開けないが、扉を開くことはできる。このため、一つの分岐ブレーカが過電流によりトリップしたような場合には、主幹ブレーカをオンとしたままで扉を開き、保護板の操作窓からトリップした分岐ブレーカの操作や検査が可能である。
【００１０】
請求項２の発明によれば、保護板をインターロックすることができるとともに、外部操作ハンドルを扉から外側に突出させた状態で操作することができる。また後述するように、外部操作ハンドルを交換することなく、扉のロックと保護板のロックとを切替えることもできる。
【００１１】
請求項３の発明によれば、外部操作ハンドルのロック片の位置に誤差があっても、正しく操作することができる。
【図面の簡単な説明】
【００１２】
【図１】本発明の実施形態の分電盤を示す外観斜視図である。
【図２】実施形態の分電盤の扉を開いた状態を示す斜視図である。
【図３】主幹ブレーカがオンの状態を示す要部斜視図である。
【図４】主幹ブレーカがオフの状態を示す要部斜視図である。
【図５】保護板のロックが解除された状態を示す要部斜視図である。
【図６】ハンドルＯＮ状態における外部操作ハンドルの背面図である。
【図７】ハンドルＯＦＦ状態における外部操作ハンドルの背面図である。
【図８】ハンドルＯＮ状態から更に操作部を時計方向に回転させた状態の背面図である。
【図９】保護板がロックされている図４の状態の正面図である。
【図１０】保護板のロックが解除された図５の状態の正面図である。
【図１１】係止片の背面斜視図である。
【図１２】保護板を閉じる状態を説明する水平断面図である。
【発明を実施するための形態】
【００１３】
以下に本発明の実施形態を説明する。
図１は本発明の実施形態の分電盤を示す外観斜視図であり、図２は扉を開いた状態を示す斜視図である。これらの図において、１は分電盤の筐体、２は筐体１の前面の扉、３は扉２に形成された開口部、４はこの開口部３から操作部５を外部に突出させた外部操作ハンドルである。開口部３は扉２に取付けられた化粧パネル６の中央部に形成されている。本発明では扉２はインターロックされておらず、扉２の鎖錠装置２０を解除すれば開くことができる。
【００１４】
７は扉２の内側に配置された保護板である。この保護板７も扉２と同様、筐体１の右側の蝶番によって、開閉可能に支持されている。保護板７は筐体１内に収納された主幹ブレーカや分岐ブレーカの充電部を覆う絶縁板であるが、分岐ブレーカ８の表面のハンドル部を露出させる開口９が形成されている。このため扉２を図２のように開けば、保護板７を閉じた状態のまま、かつ主幹ブレーカをオンとしたまま、分岐ブレーカ８を操作することができる。保護板７には、外部操作ハンドル４の裏面を主幹ブレーカ１０のハンドル部に到達させる開口１１（図３参照）が形成されている。
【００１５】
図３〜図５に示すように、外部操作ハンドル４は水平断面がコ字状の枠体１２を備えたもので、その基部は主幹ブレーカ１０のハンドルを跨ぐように、主幹ブレーカ１０の前面に固定されている。外部操作ハンドル４の枠体１２の前面には回転式の操作部５が取付けられており、この操作部５を手で回転させることにより、扉２を閉じたまま主幹ブレーカ１０のハンドルをオンオフできるようになっている。
【００１６】
外部操作ハンドル４は市販品であるが、図６〜図８によりその構造を簡単に説明する。図６はハンドルＯＮ状態における外部操作ハンドル４の断面図であり、図７はハンドルＯＦＦ状態における断面図、図８はハンドルをＯＦＦとし、さらに操作部５を時計方向に回転させた状態の背面断面図である。何れも左側の図は外部操作ハンドル４の背面図枠体１２の前板部を切断した状態を示し、右側の図は更にその奥側を示している。
【００１７】
外部操作ハンドル４は市販品であるが、図６〜図８によりその構造を簡単に説明する。図６はハンドルＯＮ状態における外部操作ハンドル４の背面図であり、図７はハンドルＯＦＦ状態における背面図、図８はハンドルをＯＦＦとし、さらに操作部５を時計方向に回転させた状態の背面図である。何れも左側の図は外部操作ハンドル４の背面図を示し、右側の図は更にその奥側を示している。
【００１８】
２０は回転式の操作部５によって回動されるハンドル操作部であり、主幹ブレーカ１０のハンドル２１を左右両側から挟むように形成されている。図６ではハンドル２１は右側のＯＮ位置にあるが、図７、図８ではハンドル操作部２０を回転させることによって、ハンドル２１は左側のＯＦＦ位置に動かされる。
【００１９】
２２はハンドル操作部２０と一体に回転されるロック操作部であり、円板の一部を円弧状に切り欠いたカム形状となっている。１３はロック片であり、軸２３によって回動可能となっている。ロック片１３は図示を略したバネにより、常に反時計方向に弾発されている。
【００２０】
図６と図７では、ロック片１３の下端部２４がロック操作部２２の切り欠き部２５に当接しているため、ロック片１３は直立している。しかし図８のように更にロック操作部２２を回転させると、ロック片１３の下端部２４がロック操作部２２の外周部２６によって左方向に押されるため、ロック片１３は時計方向に回転する。
【００２１】
上記したように、このロック片１３は、外部操作ハンドル４の操作部５が図３の位置（主幹ブレーカ１０がオンの位置）及び図４の位置（主幹ブレーカ１０がオフの位置）にあるときには直立している。そして保護板７の表面には、このロック片１３の後方に位置するように、垂直断面がコ字状の係止片１４が取り付けられている。このため、図３、図４の状態では、保護板７を手前に開こうとしても係止片１４がロック片１３の係止されることとなり、保護板７を開くことができない。
【００２２】
しかし図５のように、外部操作ハンドル４の操作部５を主幹ブレーカ１０がオフの位置からさらに時計方向に強制的に回転させると、ロック片１３は係止片１４の前方から図５の左方向に移動し、保護板７を開くことができるようになる。従って、図３のように主幹ブレーカ１０がオンのときには保護板７を開くことができず、主幹ブレーカ１０を図４のようにオフとしたうえ、さらに図５の位置まで外部操作ハンドル４の操作部５を回転させることによって、保護板７を開くことができるよう、保護板７はインターロックされている。なお図９は保護板７がロックされている図４の状態の正面図、図１０は保護板７のロックが解除された図５の状態の正面図である。
【００２３】
上記した外部操作ハンドル４は市販品であり、そのロック片１３の回転停止位置には多少のバラツキがある。また保護板７の係止片１４の位置にも多少のバラツキがある。このため、保護板７を開いた状態から再び閉じるとき、ロック片１３が係止片１４に衝突して破壊されることがないようにする必要がある。なお、外部操作ハンドル４の操作部５は手を放すと図４、図９の状態に復帰するので、このようにロック片１３が直立した状態で保護板７を閉じることとなる。
【００２４】
そこで本実施形態では、主幹ブレーカ１０の前面に位置規制片１５を取付けてロック片１３の端面に当接させ、ロック片１３の位置を規制した。また図１１に示すように、垂直断面がコ字状の係止片１４の下辺１６の端面に傾斜部１７を形成した。保護板７を閉じるときには、係止片１４の後側が先にロック片１３に接近するため、係止片１４の下辺１６は後側が幅狭で前側が幅広になっている。
【００２５】
このため図１２（ａ）に示すように、保護板７を閉じるときには、保護板７に取付けられている係止片１４の傾斜部１７がロック片１３に接触し、図１２（ｂ）に示すように、ロック片１３を反時計方向に押しながら保護板７が閉じて行く。そして図１２（ｃ）に示すように係止片１４がロック片１３を通過してロック片１３の後方位置まで移動すると、ロック片１３はバネ力により図４、図９の状態に復帰する。このように保護板７を閉じるときに位置規制片１５でロック片１３の位置を傾斜部１７に接触するように規制するとともに、係止片１４の傾斜部１７をロック片１３に接触させることにより、ロック片１３と係止片１４の相対位置のバラツキを吸収しながら、保護板７を閉塞状態まで確実に案内できるようにした。
【００２６】
以上に説明したように、本願発明は主幹ブレーカ１０をオフにしなければ保護板７を開くことができないようにインターロックを掛けるものであるが、従来の扉にインターロックを掛ける構造の分電盤を改造するには、次の変更を加えるだけで、容易に変更することができる。
【００２７】
（１）従来は扉の化粧パネル６に係止片が設けられていたが、扉の化粧パネル６を係止片のないものに交換する。
（２）係止片１４を保護板７にねじ止めする。
（３）位置規制片１５を主幹ブレーカ１０にねじ止めする。
【符号の説明】
【００２８】
１  筐体
２  扉
３  開口部
４  外部操作ハンドル
５  操作部
６  化粧パネル
７  保護板
８  分岐ブレーカ
９  開口
１０  主幹ブレーカ
１１  開口
１２  枠体
１３  ロック片
１４  係止片
１５  位置規制片
１６  下辺
１７  傾斜部
１８  鎖錠装置
２０  ハンドル操作部
２１  主幹ブレーカのハンドル
２２  ロック操作部
２３  軸
２４  ロック片の下端部
２５  切り欠き部
２６  外周部
【図１】
2017127125.tif 000003
【図２】
2017127125.tif 000004
【図３】
2017127125.tif 000005
【図４】
2017127125.tif 000006
【図５】
2017127125.tif 000007
【図６】
2017127125.tif 000008
【図７】
2017127125.tif 000009
【図８】
2017127125.tif 000010
【図９】
2017127125.tif 000011
【図１０】
2017127125.tif 000012
【図１１】
2017127125.tif 000013
【図１２】
2017127125.tif 000014